(57)【特許請求の範囲】
【請求項１】
基板の前面にハンガー体を上下に回動自在に付設し、基板に縦方向のスリットを設け、ハンガー体では、基板にヒンジ線を介して繋がる上板に側板を連設して、側板に商品のフックを掛ける掛穴を穿設すると共に、後方へ延びる差込片を形成し、上板から側板を折り曲げ、並列する側板の前部を繋いでおき、差込片を基板のスリットに差し込んで、ハンガー体を基板から前方に突出した状態に保持する吊下陳列具。
【請求項２】
請求項１に記載の吊下陳列具において、広幅のハンガー体の内側に狭幅のハンガー体を設け、狭幅のハンガー体の上板に広幅のハンガー体の上板を被せるようにしたことを特徴とする吊下陳列具。
【請求項３】
請求項１又は２に記載の吊下陳列具において、ハンガー体の差込片に抜止片を連設し、折り込んだ抜止片の反発により、差込片を基板のスリットから抜け止めしたことを特徴とする吊下陳列具。
【発明の詳細な説明】
【技術分野】
【０００１】
この発明は、店頭で商品を吊り下げて陳列する吊下陳列具に関するものである。
【背景技術】
【０００２】
従来、この種の陳列具として、下記特許文献１に記載されたように、基板にフック片を縦罫を介して連設し、基板から縦罫を軸にフック片を前方へ起こして、フック片に商品を掛けるようにしたプラスチック製のものが使用されている。
【０００３】
【特許文献１】特開２０００−２７０９７８号公報
【発明の開示】
【発明が解決しようとする課題】
【０００４】
しかしながら、上記のような陳列具では、陳列時にフック片が縦罫の反発により基板方向へ倒れてしまうことがあり、多くの商品を吊り下げて安定した状態で陳列することができないという問題があった。
【０００５】
そこで、この発明は、多数の商品を安定した吊下状態で陳列できる吊下陳列具を提供しようとするものである。
【課題を解決するための手段】
【０００６】
上記課題を解決するため、この発明に係る吊下陳列具は、基板の前面にハンガー体を上下に回動自在に付設し、基板に縦方向のスリットを設け、ハンガー体では、基板にヒンジ線を介して繋がる上板に側板を連設して、側板に商品のフックを掛ける掛穴を穿設すると共に、後方へ延びる差込片を形成し、上板から側板を折り曲げ、並列する側板の前部を繋いでおき、差込片を基板のスリットに差し込んで、ハンガー体を基板から前方に突出した状態に保持することとしたのである。
【０００７】
また、広幅のハンガー体の内側に狭幅のハンガー体を設け、狭幅のハンガー体の上板に広幅のハンガー体の上板を被せるようにしたのである。
【０００８】
さらに、ハンガー体の差込片に抜止片を連設し、折り込んだ抜止片の反発により、差込片を基板のスリットから抜け止めしたのである。
【発明の効果】
【０００９】
この吊下陳列具では、ハンガー体が並列する側板を梁とする構造体となっているので、側板を前方へ長く突出させ、掛穴を前後方向に延びる長穴として、多数の商品を吊り下げても、ハンガー体が撓んだり左右に揺動したりすることがなく、安定した状態で商品を陳列することができる。
【発明を実施するための最良の形態】
【００１０】
以下、この発明の実施形態を添付図面に基づいて説明する。
【００１１】
この吊下陳列具は、商品として歯ブラシを陳列するものであり、図１に示す基板１と、図２にブランク状態で示す広幅及び狭幅のハンガー体２，３とから構成される。
【００１２】
図１に示す基板１は、厚手の合紙を材料とし、その中間下部には４本のスリット１ａが縦方向に並行して設けられ、両端上部には、２個の紐穴１ｂが設けられている。
【００１３】
図２に示すハンガー体２，３は、薄手の合紙を材料とし、そのブランクでは、長方形の上板４の両側に前方へかけて幅が狭くなった２枚の側板５が順次連設され、ハンガー体２の上板４は、ハンガー体３の上板４よりも幅が広くなっている。上板４の後端には、ヒンジ線４ａを介して貼着片４ｂが連設され、上板４の前端には、弧状の端縁を有する前板４ｃが連設されている。
【００１４】
各側板５には、商品のフックを掛ける掛穴５ａが穿設され、内側の側板５には、後方へ延びる差込片５ｂ及びその基端に位置するストッパ部５ｃと、前方へ延びる継代片５ｄとが設けられている。また、ハンガー体２の差込片５ｂには抜止片５ｅが連設されている。
【００１５】
ハンガー体２，３の掛穴５ａは、側板５の長さ方向に延びて波状縁を有し、隣接する側板５の境界には、繋部付きの切目線が入れられている。また、基板１及びハンガー体２，３の貼着片４ｂには、貼着片４ｂを基板１に貼り付ける際の目印が入れられている。
【００１６】
このようなブランクから吊下陳列具を組み立てるには、図３に示すように、ハンガー体２，３において、上板４から両側の側板５を対向するように折り曲げ、隣接する側板５を内側へ折り重ねて貼り合わせると共に、継代片５ｄを内側へ折り曲げて前板４ｃの内面に貼り付け、貼着片４ｂを基板１の前面の所定の位置に貼り付ける。
【００１７】
このとき、ハンガー体２の内側にハンガー体３を位置させて、ハンガー体２をハンガー体３よりも先に基板１に取り付ける。このように取り付けたハンガー体２，３が上方へ向いた折畳状態では、嵩張ることなく吊下陳列具を店舗へ配送できる。
【００１８】
一方、この吊下陳列具を店頭で使用する際には、図４に示すように、まず、ハンガー体３を前側下方へ回動させ、その差込片５ｂをスリット１ａに差し込み、次に、ハンガー体２の抜止片５ｅを折り込んで、ハンガー体２を前側下方へ回動させ、その差込片５ｂを抜止片５ｅと共にスリット１ａに差し込む。
【００１９】
これにより、ストッパ部５ｃが基板１の前面に当接し、ハンガー体２，３は、図５及び図６に示すように、基板１から前方に突出したセット状態に保持される。
【００２０】
このセット状態において、抜止片５ｅが折目の反発により復元し、ハンガー体２の差込片５ｂがスリット１ａから抜け止めされるので、ハンガー体２のはね上がりが防止され、また、ハンガー体２の上板４がハンガー体３の上板４に被さるので、ハンガー体３のはね上がりも防止されて、ハンガー体２，３が基板１に固定される。
【００２１】
そして、このような吊下陳列具を、紐穴１ｂに挿通した紐６により陳列什器に吊り下げると、図７に示すように、多数の歯ブラシの包装体Ｔを、掛穴５ａの波状縁にフック部分を掛けて陳列することができる。
【００２２】
上記のような吊下陳列具では、ハンガー体２，３が並列する側板５を梁とする構造体となっているので、前後方向に長く延びる掛穴５ａに多数の歯ブラシの包装体Ｔを吊り下げても、ハンガー体２，３が撓んだり左右に揺動したりすることがなく、安定した状態で歯ブラシの包装体Ｔを陳列することができる。
【００２３】
また、従来の陳列具のように、鉤状に突出するフック片がないことから、例えば、店内を走り回る子供が外側のハンガー体２に当たっても、怪我をする危険性が低く、安全性が確保され、さらに、実施形態のように、紙を材料として製造すると、使用後には、資源ごみとして回収し、再生することも可能となる。
【００２４】
なお、この実施形態では、広幅のハンガー体２の内側に１個の狭幅のハンガー体３を設けたものを例示したが、広幅のハンガー体２の内側に複数個の狭幅のハンガー体３を並べて設けてもよく、広幅のハンガー体２の外側にさらに広幅のハンガー体を順次重ねるように設けてもよい。
【図面の簡単な説明】
【００２５】
【図１】この発明の実施形態に係る吊下陳列具の基板を示す図
【図２】同上のハンガー体のブランクを示す図
【図３】同上の吊下陳列具の組立後の折畳状態を示す斜視図
【図４】同上のハンガー体のセット過程を示す斜視図
【図５】同上のハンガー体のセット状態を示す前方斜視図
【図６】同上のハンガー体のセット状態を示す後方斜視図
【図７】同上の吊下陳列具の使用状態を示す斜視図
【符号の説明】
【００２６】
１  基板
１ａ  スリット
１ｂ  紐穴
２，３  ハンガー体
４  上板
４ａ  ヒンジ線
４ｂ  貼着片
４ｃ  前板
５  側板
５ａ  掛穴
５ｂ  差込片
５ｃ  ストッパ部
５ｄ  継代片
５ｅ  抜止片
６  紐
【図１】
0004763414.tif 000002
【図２】
0004763414.tif 000003
【図３】
0004763414.tif 000004
【図４】
0004763414.tif 000005
【図５】
0004763414.tif 000006
【図６】
0004763414.tif 000007
【図７】
0004763414.tif 000008